【手続補正書】
【提出日】平成22年5月13日(2010.5.13)
【手続補正１】
【補正対象書類名】明細書
【補正対象項目名】０２５３
【補正方法】変更
【補正の内容】
【０２５３】
別々の実施形態の状況において、明確にするために本明細書に記載されている特定の複数の特徴は、１つの実施形態の中で組み合わせても提供できることを理解されたい。逆に、簡潔にするため１つの実施形態の状況において説明した種々の特徴も、別々に提供したり、あらゆる副次的な組み合わせで提供したりすることができる。
本発明は以下の実施の態様を含むものである。
１．第１および第２のサブピクセル領域を有するマルチカラー有機発光ダイオードの形成方法であって：
正孔注入層をアノード層上に適用するステップであって、前記正孔注入層が導電性ポリマーとフッ素化酸ポリマーとを含むステップと；
正孔輸送層を前記正孔注入層上に適用するステップと；
第１のエレクトロルミネッセンス材料を前記第１のサブピクセル領域に適用するステップと；
赤色エレクトロルミネッセンス材料を全体的に適用するステップと；
カソードを適用するステップとを含み；
前記第１のエレクトロルミネッセンス材料が、緑色エレクトロルミネッセンス材料および青色エレクトロルミネッセンス材料から選択されることを特徴とする方法。
２．前記第１のエレクトロルミネッセンス材料が、第１の液体組成物から液相堆積によって適用され、前記赤色エレクトロルミネッセンス材料が気相堆積によって適用されることを特徴とする前記１に記載の方法。
３．前記導電性ポリマーが、ポリチオフェン、ポリセレノフェン、ポリ（テルロフェン）、ポリピロール、ポリアニリン、および多環式芳香族、ならびにそれらのコポリマーからなる群から選択されることを特徴とする前記１に記載の方法。
４．前記第１のエレクトロルミネッセンス材料および／または前記赤色エレクトロルミネッセンス材料がホスト材料とともに存在することを特徴とする前記１に記載の方法。
５．前記フッ素化酸ポリマーが、ポリオレフィン、ポリアクリレート、ポリメタクリレート、ポリイミド、ポリアミド、ポリアラミド、ポリアクリルアミド、ポリスチレン、およびそれらの組み合わせからなる群から選択される１つまたは複数の主鎖を有することを特徴とする前記１に記載の方法。
６．第１、第２、および第３のサブピクセル領域を有するマルチカラー有機発光ダイオードの形成方法であって：
正孔注入層をアノード層上に適用するステップであって、前記正孔注入層が導電性ポリマーとフッ素化酸ポリマーとを含むステップと；
正孔輸送層を前記正孔注入層上に適用するステップと；
第１のエレクトロルミネッセンス材料を前記第１のサブピクセル領域に適用するステップと；
第２のエレクトロルミネッセンス材料を前記第２のサブピクセル領域に適用するステップと；
赤色エレクトロルミネッセンス材料を全体的に適用するステップと；
カソードを適用するステップとを含み；
前記第１および第２のエレクトロルミネッセンス材料が、緑色エレクトロルミネッセンス材料および青色エレクトロルミネッセンス材料からなる群から選択され；
但し、前記第２のエレクトロルミネッセンス材料は、前記第１のエレクトロルミネッセンス材料とは異なる色を発することを特徴とする方法。
７．前記第１のエレクトロルミネッセンス材料が、第１の液体組成物から液相堆積によって適用され、前記第２のエレクトロルミネッセンス材料が、第２の液体組成物から液相堆積によって適用され、前記赤色エレクトロルミネッセンス材料が気相堆積によって適用されることを特徴とする前記６に記載の方法。
８．第１および第２のサブピクセル領域を有するマルチカラー有機発光ダイオードデバイスであって：
アノードと；
導電性ポリマーとフッ素化酸ポリマーとを含む正孔注入層と；
正孔輸送層と；
第１のサブピクセル領域内の第１のエレクトロルミネッセンス層と；
全体的な赤色エレクトロルミネッセンス層と；
カソードとを含み；
前記第１のエレクトロルミネッセンスが、緑色エレクトロルミネッセンス材料および青色エレクトロルミネッセンス材料からなる群から選択される材料を含むことを特徴とするデバイス。
９．第１、第２、および第３のサブピクセル領域を有するマルチカラー有機発光ダイオードデバイスであって：
アノードと；
導電性ポリマーとフッ素化酸ポリマーとを含む正孔注入層と；
正孔輸送層と；
第１のサブピクセル領域内の第１のエレクトロルミネッセンス層と；
第２のサブピクセル領域内の第２のエレクトロルミネッセンス層と；
全体的な赤色エレクトロルミネッセンス層と；
カソードとを含み；
第１および第２のエレクトロルミネッセンスは異なるものであり、それぞれが、緑色エレクトロルミネッセンス材料および青色エレクトロルミネッセンス材料からなる群から選択される材料を含むことを特徴とするデバイス。
【手続補正２】
【補正対象書類名】特許請求の範囲
【補正対象項目名】全文
【補正方法】変更
【補正の内容】
【特許請求の範囲】
【請求項１】
第１および第２のサブピクセル領域を有するマルチカラー有機発光ダイオードの形成方法であって：
正孔注入層をアノード層上に適用するステップであって、前記正孔注入層が導電性ポリマーとフッ素化酸ポリマーとを含むステップと；
正孔輸送層を前記正孔注入層上に適用するステップと；
第１のエレクトロルミネッセンス材料を前記第１のサブピクセル領域に適用するステップと；
赤色エレクトロルミネッセンス材料を全体的に適用するステップと；
カソードを適用するステップとを含み；
前記第１のエレクトロルミネッセンス材料が、緑色エレクトロルミネッセンス材料および青色エレクトロルミネッセンス材料から選択されることを特徴とする方法。
【請求項２】
第１、第２、および第３のサブピクセル領域を有するマルチカラー有機発光ダイオードの形成方法であって：
正孔注入層をアノード層上に適用するステップであって、前記正孔注入層が導電性ポリマーとフッ素化酸ポリマーとを含むステップと；
正孔輸送層を前記正孔注入層上に適用するステップと；
第１のエレクトロルミネッセンス材料を前記第１のサブピクセル領域に適用するステップと；
第２のエレクトロルミネッセンス材料を前記第２のサブピクセル領域に適用するステップと；
赤色エレクトロルミネッセンス材料を全体的に適用するステップと；
カソードを適用するステップとを含み；
前記第１および第２のエレクトロルミネッセンス材料が、緑色エレクトロルミネッセンス材料および青色エレクトロルミネッセンス材料からなる群から選択され；
但し、前記第２のエレクトロルミネッセンス材料は、前記第１のエレクトロルミネッセンス材料とは異なる色を発することを特徴とする方法。
【請求項３】
第１および第２のサブピクセル領域を有するマルチカラー有機発光ダイオードデバイスであって：
アノードと；
導電性ポリマーとフッ素化酸ポリマーとを含む正孔注入層と；
正孔輸送層と；
第１のサブピクセル領域内の第１のエレクトロルミネッセンス層と；
全体的な赤色エレクトロルミネッセンス層と；
カソードとを含み；
前記第１のエレクトロルミネッセンスが、緑色エレクトロルミネッセンス材料および青色エレクトロルミネッセンス材料からなる群から選択される材料を含むことを特徴とするデバイス。
【請求項４】
第１、第２、および第３のサブピクセル領域を有するマルチカラー有機発光ダイオードデバイスであって：
アノードと；
導電性ポリマーとフッ素化酸ポリマーとを含む正孔注入層と；
正孔輸送層と；
第１のサブピクセル領域内の第１のエレクトロルミネッセンス層と；
第２のサブピクセル領域内の第２のエレクトロルミネッセンス層と；
全体的な赤色エレクトロルミネッセンス層と；
カソードとを含み；
第１および第２のエレクトロルミネッセンスは異なるものであり、それぞれが、緑色エレクトロルミネッセンス材料および青色エレクトロルミネッセンス材料からなる群から選択される材料を含むことを特徴とするデバイス。